(57)【要約】  【課題】同軸ケーブルネットワークと無線通信ネットワークとの双方において双方向通信が可能な、構成が簡単で安価に実現できる無線通信機能を備えたケーブルモデム装置を提供するものである。  【解決手段】同軸ケーブルネットワーク用の信号の増幅、周波数変換、変復調処理を行なう第１のＰＨＹ部１と、無線通信ネットワーク用の信号の増幅、周波数変換、変復調処理を行なう第２のＰＹＨ部２と、第１のＰＨＹ部１および第２のＰＨＹ部２に接続されたスイッチ部３と、スイッチ部３に接続され、ケーブルネットワーク用の信号および無線通信ネットワーク用の信号の両方について、受信信号の解読および送信信号の結合処理を行なうＭＡＣ部４とを備え、スイッチ部３は、同軸ケーブルネットワークおよび無線通信ネットワークと送受信するタイミングに基づいて、ＭＡＣ部４が、第１のＰＨＹ部１または第２のＰＨＹ部２のいずれかに接続されるように切り替える。【選択図】図１
2006109256.tif 000002
【特許請求の範囲】
【請求項１】
同軸ケーブルネットワークに接続され、前記同軸ケーブルネットワーク用の信号の増幅、周波数変換、変復調処理を行なう第１のＰＨＹ部と、
無線通信ネットワークに接続されたアンテナに接続され、前記無線通信ネットワーク用の信号の増幅、周波数変換、変復調処理を行なう第２のＰＹＨ部と、
前記第１のＰＨＹ部および前記第２のＰＨＹ部に接続されたスイッチ部と、
前記スイッチ部に接続され、前記同軸ケーブルネットワーク用の信号および前記無線通信ネットワーク用の信号の両方について、受信信号の解読および送信信号の結合処理を行なうＭＡＣ部とを備え、
前記スイッチ部は、前記同軸ケーブルネットワークおよび前記無線通信ネットワークと送受信するタイミングに基づいて、前記ＭＡＣ部が、前記第１のＰＨＹ部または前記第２のＰＨＹ部のいずれかに接続されるように切り替える、ケーブルモデム装置。
【請求項２】
前記スイッチ部は、
前記同軸ケーブルネットワークから信号を受信した際、および前記同軸ケーブルネットワークに信号を送信する際には、前記ＭＡＣ部を前記第１のＰＨＹ部に接続させ、
前記無線通信ネットワークから信号を受信した際、および前記無線通信ネットワークに信号を送信する際には、前記ＭＡＣ部を前記第２のＰＨＹ部に接続させるように、接続を切り替える、請求項１に記載のケーブルモデム装置。
【請求項３】
無線通信ネットワークに接続されたアンテナ、および同軸ケーブルネットワークに接続されたスイッチ部と、
前記スイッチ部に接続され、前記同軸ケーブルネットワーク用の信号の増幅、周波数変換、変復調処理を行なう第１のＰＨＹ部と、
前記スイッチ部に接続され、前記無線通信ネットワーク用の信号の増幅、周波数変換、変復調処理を行なう第２のＰＹＨ部と、
前記第１のＰＨＹ部および前記第２のＰＨＹ部に接続され、前記同軸ケーブルネットワーク用の信号および前記無線通信ネットワーク用の信号の両方について、受信信号の解読および送信信号の結合処理を行なうＭＡＣ部とを備え、
前記スイッチ部は、前記同軸ケーブルネットワークおよび前記無線通信ネットワークと送受信するタイミングに基づいて、前記同軸ケーブルネットワークと前記第１のＰＨＹ部の接続、または、前記アンテナと前記第２のＰＨＹ部の接続、のいずれか一方のみが接続されるように切り替える、ケーブルモデム装置。
【請求項４】
前記スイッチ部は、
前記同軸ケーブルネットワークから信号を受信した際、および前記同軸ケーブルネットワークに信号を送信する際には、前記第１のＰＨＹ部を前記同軸ケーブルネットワークに接続させ、
前記無線通信ネットワークから信号を受信した際、および前記無線通信ネットワークに信号を送信する際には、前記第２のＰＨＹ部を前記アンテナに接続させる、請求項３に記載のケーブルモデム装置。
【請求項５】
前記ＭＡＣ部に接続され、前記同軸ケーブルネットワーク用の信号および前記無線通信ネットワーク用の信号のＩＰ処理を行なうマイコン処理部をさらに備えた、請求項１または３に記載のケーブルモデム装置。
【請求項６】
前記マイコン処理部に接続され、前記マイコン処理部との間でデータの入出力を行う端末インターフェース部をさらに備えた、請求項５に記載のケーブルモデム装置。
【請求項７】
同軸ケーブルネットワークおよび無線通信ネットワークに接続されたケーブルモデム装置の送受信方法において、
同軸ケーブルネットワークとの間で信号を送受信する際には、同軸ケーブルネットワークに接続され前記同軸ケーブルネットワーク用の信号の増幅、周波数変換、変復調処理を行なう第１のＰＨＹ部を、受信信号の解読および送信信号の結合処理を行なうＭＡＣ部に接続するステップと、
無線通信ネットワークとの間で信号を送受信する際には、無線通信ネットワークに接続されたアンテナに接続され前記無線通信ネットワーク用の信号の増幅、周波数変換、変復調処理を行なう第２のＰＹＨ部を、前記ＭＡＣ部に接続するステップとを備えた、ケーブルモデム装置の送受信方法。
【請求項８】
同軸ケーブルネットワークおよび無線通信ネットワークに接続されたケーブルモデム装置の送受信方法において、
同軸ケーブルネットワークとの間で信号を送受信する際には、同軸ケーブルネットワークを、前記同軸ケーブルネットワーク用の信号の増幅、周波数変換、変復調処理を行なう第１のＰＨＹ部に接続するステップと、
無線通信ネットワークとの間で信号を送受信する際には、無線通信ネットワークに接続されたアンテナを、前記無線通信ネットワーク用の信号の増幅、周波数変換、変復調処理を行なう第２のＰＹＨ部に接続するステップとを備えた、ケーブルモデム装置の送受信方法。
【請求項９】
同軸ケーブルネットワークと、
無線通信ネットワークと、
前記同軸ケーブルネットワークおよび前記無線通信ネットワークの両方に接続された、請求項１乃至８のいずれかに記載の、１以上のケーブルモデム装置と、
前記同軸ケーブルネットワークに接続された、１以上の同軸ケーブルモデムと、
前記無線通信ネットワークに接続された、１以上の無線モデム装置とを備えた、同軸／無線通信ネットワークシステム。
【請求項１０】
請求項７に記載の、ケーブルモデム装置の送受信方法の、前記同軸ケーブルネットワークとの間で信号を送受信する際には、前記第１のＰＨＹ部を前記ＭＡＣ部に接続するステップと、前記無線通信ネットワークとの間で信号を送受信する際には、前記第２のＰＹＨ部を前記ＭＡＣ部に接続するステップとをコンピュータに実行させるためのプログラム。
【請求項１１】
請求項８に記載の、ケーブルモデム装置の送受信方法の、前記同軸ケーブルネットワークとの間で信号を送受信する際には、前記同軸ケーブルネットワークを前記第１のＰＨＹ部に接続するステップと、前記無線通信ネットワークとの間で信号を送受信する際には、前記無線通信ネットワークに接続されたアンテナを前記第２のＰＹＨ部に接続するステップとをコンピュータに実行させるためのプログラム。
【請求項１２】
請求項１０または１１に記載のプログラムを担持した記録媒体であって、コンピュータで利用可能な記録媒体。
【発明の詳細な説明】
【技術分野】
【０００１】
本発明は、同軸ケーブルネットワークにおいて双方向通信を行う、無線通信機能を備えた、ケーブルモデム装置、ケーブルモデム装置の送受信方法、および同軸／無線通信ネットワークシステムに関するものである。
【背景技術】
【０００２】
ＣＡＴＶ網に同軸ケーブルを介して接続されたケーブルモデム装置の本体に、情報処理端末との接続を無線によって行う無線ＬＡＮ機能を有する拡張ユニットを付加したケーブルモデム装置が考案されている（例えば、特許文献１参照）。
【０００３】
図９は、従来の無線通信機能を備えたケーブルモデム装置の構成を示すものである。また、図１０は、そのプロトコルスタック図を示している。
【０００４】
以下図面を参照しながら、上記した従来の無線通信機能を備えたケーブルモデム装置の一例について説明する。
【０００５】
図９において、４１は第１のＰＨＹ部、４２は第１のＭＡＣ部、４３は第２のＰＨＹ部、４４は第２のＭＡＣ部、４５はマイコン処理部である。
【０００６】
以上のように構成された従来の無線通信機能を備えたケーブルモデム装置について、以下、その動作について説明する。
【０００７】
同軸ケーブルネットワークに接続された第１のＰＨＹ部４１は、同軸ケーブルを介して信号を送受信するための信号増幅、周波数変換および変復調処理を行い、第１のＭＡＣ部４２との間でデータの入出力を行う。そして、第１のＭＡＣ部４２は、データを解読し、ケーブルモデム装置自体が必要とする管理情報と、無線によってユーザ側の情報処理端末へ送る情報とを分離する。第１のＭＡＣ部４２の詳細は、米国ＤＯＣＳＩＳ規格（Ｄａｔａ−Ｏｖｅｒ−Ｃａｂｌｅ  Ｓｅｒｖｉｃｅ  Ｉｎｔｅｒｆａｃｅ  Ｓｐｅｃｉｆｉｃａｔｉｏｎ）、ＡＮＳＩ／ＳＣＴＥ  ２２−１  ２００２に記載されている。
【０００８】
他方、無線通信ネットワーク用のアンテナに接続された第２のＰＨＹ部４３は、無線通信を行うための信号増幅、周波数変換および変復調処理を行い、第２のＭＡＣ部４４との間でデータの入出力を行う。そして、第２のＭＡＣ部４４は、データを解読し、無線通信のための管理情報と、同軸ケーブルネットワーク側へ送る情報とを分離する。第２のＭＡＣ部４４の詳細は、無線ＬＡＮのＭＡＣ／ＰＨＹ規格（Ｗｉｒｅｌｅｓｓ  ＬＡＮ  Ｍｅｄｉｕｍ  Ａｃｃｅｓｓ  Ｃｏｎｔｒｏｌ  ａｎｄ  Ｐｈｙｓｉｃａｌ  Ｌａｙｅｒ  Ｓｐｅｃｉｆｉｃａｔｉｏｎｓ）、ＡＮＳＩ／ＩＥＥＥ  Ｓｔｄ８０２．１１  １９９９  Ｅｄｉｔｉｏｎに記載されている。
【０００９】
マイコン処理部４５は、第１のＰＨＹ部４１、第１のＭＡＣ部４２、第２のＰＨＹ部４３、第２のＭＡＣ部４４のそれぞれの制御、第１のＭＡＣ部４２と第２のＭＡＣ部４４との相互データの入出力制御、及び第１のＭＡＣ部と第２のＭＡＣ部の上位プロトコルであるＩＰ処理を行う。
【００１０】
図１１は、一般的な、ケーブルモデム装置の各ブロック間の通信データの構成を示す図である。図１１（ａ）は、ネットワークとＰＨＹ部で送受信される通信データ（図９の場合には、同軸ケーブルと第１のＰＨＹ部４１間のデータ、およびアンテナと第２のＰＨＹ部４３間のデータ）の構成、図１１（ｂ）は、ＰＨＹ部とＭＡＣ部間で送受される通信データ（図９の場合には、第１のＰＨＹ部４１と第１のＭＡＣ部４２間で送受される通信データ、および第２のＰＨＹ部４３と第２のＭＡＣ部４４間で送受される通信データ）の構成、図１１（ｃ）は、ＭＡＣ部とマイコン処理部間で送受される通信データ（図９の場合には、第１のＭＡＣ部４２とマイコン処理部４５間で送受されるデータ、および第２のＭＡＣ部４４とマイコン処理部４５間で送受されるデータ）の構成を、それぞれ示している。
【００１１】
同軸ケーブルネットワークとケーブルモデム装置との間の通信データの場合について説明すると、同軸ケーブルネットワークから受信する際のデータ構成は、図１１（ａ）に示す構成であり、第１のＰＨＹ部４１がＰＨＹヘッダの部分のデータを処理し、図１１（ｂ）に示すＰＨＹヘッダを取り除いた構成の通信データにして第１のＭＡＣ部４２に渡す。そして、第１のＭＡＣ部４２は、ＭＡＣヘッダの部分のデータを処理し、図１１（ｃ）に示すＭＡＣヘッダを取り除いた構成の通信データにしてマイコン処理部４５に渡し、マイコン処理部４５は、そのＩＰデータおよび管理データに対して処理を行なう。
【００１２】
ケーブルモデム装置から同軸ケーブルネットワークに通信データを送信する場合には、まず、マイコン処理部４５が図１１（ｃ）に示す構成の通信データを第１のＭＡＣ部４２に渡す。第１のＭＡＣ部４２は、送信先のモデム装置が必要とする管理情報であるＭＡＣヘッダの部分を付加した図１１（ｂ）に示すような構成の通信データとして、第１のＰＨＹ部４１に渡す。そして、第１のＰＨＹ部４１は、送信先のモデム装置が復調するために必要な情報であるＰＨＹヘッダの部分を付加した図１１（ａ）に示すような構成の通信データとして、同軸ケーブルネットワークに送信する。
【００１３】
ケーブルモデム装置が無線通信ネットワークに対して送受信する場合も上記と同様に、無線通信ネットワーク、第２のＰＨＹ部４３、第２のＭＡＣ部４４、マイコン処理部４５において、通信データが処理される。
【００１４】
このようにして、無線通信機能を備えたケーブルモデム装置は、同軸ケーブルネットワークと無線通信ネットワークを相互に接続することができる。
【特許文献１】特開２００１−５３７５０号公報
【発明の開示】
【発明が解決しようとする課題】
【００１５】
しかしながら、上記無線通信機能を備えたケーブルモデム装置は、同軸ケーブルネットワークで使用するための第１のＭＡＣ部と無線通信ネットワークで使用するための第２のＭＡＣ部をそれぞれ備える必要があり、また、マイコン処理部がこれら双方とのデータ送受信を行うために、装置が複雑でコストが高くなるという課題を有していた。
【００１６】
本発明は、上述した従来の課題を解決するもので、構成が簡単で安価に実現できる、ケーブルモデム装置、ケーブルモデム装置の送受信方法、および同軸／無線通信ネットワークシステムを提供することを目的とする。
【課題を解決するための手段】
【００１７】
上述した課題を解決するために、第１の本発明は、
同軸ケーブルネットワークに接続され、前記同軸ケーブルネットワーク用の信号の増幅、周波数変換、変復調処理を行なう第１のＰＨＹ部と、
無線通信ネットワークに接続されたアンテナに接続され、前記無線通信ネットワーク用の信号の増幅、周波数変換、変復調処理を行なう第２のＰＹＨ部と、
前記第１のＰＨＹ部および前記第２のＰＨＹ部に接続されたスイッチ部と、
前記スイッチ部に接続され、前記同軸ケーブルネットワーク用の信号および前記無線通信ネットワーク用の信号の両方について、受信信号の解読および送信信号の結合処理を行なうＭＡＣ部とを備え、
前記スイッチ部は、前記同軸ケーブルネットワークおよび前記無線通信ネットワークと送受信するタイミングに基づいて、前記ＭＡＣ部が、前記第１のＰＨＹ部または前記第２のＰＨＹ部のいずれかに接続されるように切り替える、ケーブルモデム装置である。
【００１８】
第２の本発明は、
前記スイッチ部は、
前記同軸ケーブルネットワークから信号を受信した際、および前記同軸ケーブルネットワークに信号を送信する際には、前記ＭＡＣ部を前記第１のＰＨＹ部に接続させ、
前記無線通信ネットワークから信号を受信した際、および前記無線通信ネットワークに信号を送信する際には、前記ＭＡＣ部を前記第２のＰＨＹ部に接続させるように、接続を切り替える、第１の本発明のケーブルモデム装置である。
【００１９】
第３の本発明は、
無線通信ネットワークに接続されたアンテナ、および同軸ケーブルネットワークに接続されたスイッチ部と、
前記スイッチ部に接続され、前記同軸ケーブルネットワーク用の信号の増幅、周波数変換、変復調処理を行なう第１のＰＨＹ部と、
前記スイッチ部に接続され、前記無線通信ネットワーク用の信号の増幅、周波数変換、変復調処理を行なう第２のＰＹＨ部と、
前記第１のＰＨＹ部および前記第２のＰＨＹ部に接続され、前記同軸ケーブルネットワーク用の信号および前記無線通信ネットワーク用の信号の両方について、受信信号の解読および送信信号の結合処理を行なうＭＡＣ部とを備え、
前記スイッチ部は、前記同軸ケーブルネットワークおよび前記無線通信ネットワークと送受信するタイミングに基づいて、前記同軸ケーブルネットワークと前記第１のＰＨＹ部の接続、または、前記アンテナと前記第２のＰＨＹ部の接続、のいずれか一方のみが接続されるように切り替える、ケーブルモデム装置である。
【００２０】
第４の本発明は、
前記スイッチ部は、
前記同軸ケーブルネットワークから信号を受信した際、および前記同軸ケーブルネットワークに信号を送信する際には、前記第１のＰＨＹ部を前記同軸ケーブルネットワークに接続させ、
前記無線通信ネットワークから信号を受信した際、および前記無線通信ネットワークに信号を送信する際には、前記第２のＰＨＹ部を前記アンテナに接続させる、第３の本発明のケーブルモデム装置である。
【００２１】
第５の本発明は、
前記ＭＡＣ部に接続され、前記同軸ケーブルネットワーク用の信号および前記無線通信ネットワーク用の信号のＩＰ処理を行なうマイコン処理部をさらに備えた、第１または第３の本発明のケーブルモデム装置である。
【００２２】
第６の本発明は、
前記マイコン処理部に接続され、前記マイコン処理部との間でデータの入出力を行う端末インターフェース部をさらに備えた、第５の本発明のケーブルモデム装置である。
【００２３】
第７の本発明は、
同軸ケーブルネットワークおよび無線通信ネットワークに接続されたケーブルモデム装置の送受信方法において、
同軸ケーブルネットワークとの間で信号を送受信する際には、同軸ケーブルネットワークに接続され前記同軸ケーブルネットワーク用の信号の増幅、周波数変換、変復調処理を行なう第１のＰＨＹ部を、受信信号の解読および送信信号の結合処理を行なうＭＡＣ部に接続するステップと、
無線通信ネットワークとの間で信号を送受信する際には、無線通信ネットワークに接続されたアンテナに接続され前記無線通信ネットワーク用の信号の増幅、周波数変換、変復調処理を行なう第２のＰＹＨ部を、前記ＭＡＣ部に接続するステップとを備えた、ケーブルモデム装置の送受信方法である。
【００２４】
第８の本発明は、
同軸ケーブルネットワークおよび無線通信ネットワークに接続されたケーブルモデム装置の送受信方法において、
同軸ケーブルネットワークとの間で信号を送受信する際には、同軸ケーブルネットワークを、前記同軸ケーブルネットワーク用の信号の増幅、周波数変換、変復調処理を行なう第１のＰＨＹ部に接続するステップと、
無線通信ネットワークとの間で信号を送受信する際には、無線通信ネットワークに接続されたアンテナを、前記無線通信ネットワーク用の信号の増幅、周波数変換、変復調処理を行なう第２のＰＹＨ部に接続するステップとを備えた、ケーブルモデム装置の送受信方法である。
【００２５】
第９の本発明は、
同軸ケーブルネットワークと、
無線通信ネットワークと、
前記同軸ケーブルネットワークおよび前記無線通信ネットワークの両方に接続された、第１乃至第８のいずれかの本発明の、１以上のケーブルモデム装置と、
前記同軸ケーブルネットワークに接続された、１以上の同軸ケーブルモデムと、
前記無線通信ネットワークに接続された、１以上の無線モデム装置とを備えた、同軸／無線通信ネットワークシステムである。
【００２６】
第１０の本発明は、
第７の本発明の、ケーブルモデム装置の送受信方法の、前記同軸ケーブルネットワークとの間で信号を送受信する際には、前記第１のＰＨＹ部を前記ＭＡＣ部に接続するステップと、前記無線通信ネットワークとの間で信号を送受信する際には、前記第２のＰＹＨ部を前記ＭＡＣ部に接続するステップとをコンピュータに実行させるためのプログラムである。
【００２７】
第１１の本発明は、
第８の本発明の、ケーブルモデム装置の送受信方法の、前記同軸ケーブルネットワークとの間で信号を送受信する際には、前記同軸ケーブルネットワークを前記第１のＰＨＹ部に接続するステップと、前記無線通信ネットワークとの間で信号を送受信する際には、前記無線通信ネットワークに接続されたアンテナを前記第２のＰＹＨ部に接続するステップとをコンピュータに実行させるためのプログラムである。
【００２８】
第１２の本発明は、
第１０または第１１の本発明のプログラムを担持した記録媒体であって、コンピュータで利用可能な記録媒体である。
【発明の効果】
【００２９】
本発明により、構成が簡単で安価に実現できる、ケーブルモデム装置、ケーブルモデム装置の送受信方法、および同軸／無線通信ネットワークシステムを提供できる。
【発明を実施するための最良の形態】
【００３０】
以下、本発明の実施の形態について、図面を参照しながら説明する。
【００３１】
（実施の形態１）
図１は、本発明の実施の形態１における無線通信機能を備えたケーブルモデム装置の構成を示すものである。
【００３２】
図１において、本実施の形態１の無線通信機能を備えたケーブルモデム装置１３は、同軸ケーブルネットワークに接続された第１のＰＨＹ部１、および、アンテナに接続された第２のＰＨＹ部２を備えている。そして、第１のＰＨＹ部１および第２のＰＨＹ部２は、スイッチ３に接続されており、スイッチ３は、さらにＭＡＣ部４に接続されている。そして、ＭＡＣ部４は、マイコン処理部５に接続されている。なお、スイッチ３が、本発明のスイッチ部の一例である。
【００３３】
以上のように構成された無線通信機能を備えたケーブルモデム装置１３について、以下、図１を用いてその動作を説明する。
【００３４】
まず、同軸ケーブルネットワーク側から信号を受信した場合について説明する。
【００３５】
第１のＰＨＹ部１は、同軸ケーブルを介して信号（Ｒｘ１ｃ）を受信する。第１のＰＨＹ部１は、受信信号（Ｒｘ１ｃ）の増幅、周波数変換および復調処理を行い、スイッチ３にデータ（Ｒｘ２ｃ）を出力する。スイッチ３は入力データ（Ｒｘ２ｃ）を通過させて、ＭＡＣ部４にデータ（Ｒｘ３ｃ）を出力する。ＭＡＣ部４は、その入力データ（Ｒｘ３ｃ）を解読し、無線通信機能を備えたケーブルモデム装置１３自体が必要とする管理情報と、無線通信ネットワーク側へ送る情報とを種別し、マイコン処理部５にデータ（Ｒｘ４ｃ）を出力する。
【００３６】
マイコン処理部５は、管理情報の処理およびＭＡＣ部４の上位プロトコルであるＩＰ処理を行い、ＭＡＣ部４にデータ（Ｔｘ４ｗ）を折り返す。そして、ＭＡＣ部４は、再び管理情報と無線通信ネットワークへ送る情報を統合し、スイッチ３へデータ（Ｔｘ３ｗ）を出力する。スイッチ３は、入力データ（Ｔｘ３ｗ）を通過させて、第２のＰＨＹ部２にデータ（Ｔｘ２ｗ）を出力する。第２のＰＨＹ部２は、入力データ（Ｔｘ２ｗ）の変調処理、周波数変換および増幅を行い、無線通信ネットワーク用のアンテナへ信号（Ｔｘ１ｗ）を出力する。
【００３７】
なお、ここで、Ｒｘ２ｃとＲｘ３ｃは同じデータである。また、Ｔｘ２ｗとＴｘ３ｗも同じデータである。また、Ｒｘ１ｃおよびＴｘ１ｗは、図１１（ａ）に示す構成であり、Ｒｘ２ｃおよびＴｘ２ｗは、図１１（ｂ）に示す構成であり、Ｒｘ４ｃおよびＴｘ４ｗは、図１１（ｃ）に示す構成である。
【００３８】
次に、無線通信ネットワーク用のアンテナから信号を受信した場合について説明する。
【００３９】
アンテナに接続された第２のＰＨＹ部２は、アンテナから信号（Ｒｘ１ｗ）を受信する。第２のＰＨＹ部２は、受信信号（Ｒｘ１ｗ）の増幅、周波数変換および復調処理を行い、スイッチ３にデータ（Ｒｘ２ｗ）を出力する。スイッチ３は、入力データ（Ｒｘ２ｗ）を通過させて、ＭＡＣ部４にデータ（Ｒｘ３ｗ）を出力する。ＭＡＣ部４は、その入力データ（Ｒｘ３ｗ）を解読し、無線通信機能を備えたケーブルモデム装置１３自体が必要とする管理情報と、同軸ケーブルネットワークへ送る情報とを種別し、マイコン処理部５にデータ（Ｒｘ４ｗ）を出力する。
【００４０】
マイコン処理部５は、管理情報の処理およびＭＡＣ部４の上位プロトコルであるＩＰ処理を行い、ＭＡＣ部４にデータ（Ｔｘ４ｃ）を折り返す。そして、ＭＡＣ部４は、再び管理情報と同軸ケーブルネットワーク側へ送る情報を統合し、スイッチ３へデータ（Ｔｘ３ｃ）を出力する。スイッチ３は、入力データ（Ｔｘ３ｃ）を通過させて、第１のＰＨＹ部１にデータ（Ｔｘ２ｃ）を出力する。第１のＰＨＹ部１は、入力データ（Ｔｘ２ｃ）の変調処理、周波数変換および増幅を行い、同軸ケーブルネットワークへ信号（Ｔｘ１ｃ）を出力する。
【００４１】
なお、ここで、Ｒｘ２ｗとＲｘ３ｗは同じデータである。また、Ｔｘ２ｃとＴｘ３ｃも同じデータである。また、Ｒｘ１ｗおよびＴｘ１ｃは、図１１（ａ）に示す構成であり、Ｒｘ２ｗおよびＴｘ２ｃは、図１１（ｂ）に示す構成であり、Ｒｘ４ｗおよびＴｘ４ｃは、図１１（ｃ）に示す構成である。
【００４２】
なお、スイッチ３の切り替えは、本実施の形態１のケーブルモデム装置１３内において、同軸ケーブルネットワーク用の信号と無線通信ネットワーク用の信号を、それぞれ正常に処理できるように制御されれば、どのように制御されてもよい。例えば、信号の有無に基づいてスイッチ３の切り替えを制御してもよい。信号検出部を設けて、ネットーワークからの受信信号を検知させてスイッチ３の切り替えを制御してもよい。また、ネットワークに信号を送信する場合には、送信するデータの先頭のプリアンブルに従って、スイッチ３の切り替えを制御してもよい。
【００４３】
また、スイッチ３の切り替えにより通過させない方の信号は、遮断するようにしてもよいし、メモリ等の格納手段を設けて保存させるようにしてもよい。
【００４４】
次に、上記で説明した本実施の形態１のケーブルモデム装置１３を備えた同軸／無線ネットワークの構成および動作について説明する。
【００４５】
図２は、本実施の形態１の無線通信機能を備えたケーブルモデム装置１３が接続された同軸／無線ネットワークシステムの一例を示す構成図である。
【００４６】
図２において、本実施の形態１の同軸／無線ネットワークシステムでは、無線通信機能を備えたケーブルモデム装置１３が、同軸ケーブルネットワーク１１、および無線通信ネットワーク１２に接続されている。図２に示すケーブルモデム装置１３は、図１で説明した構成のケーブルモデム装置である。
【００４７】
また、同軸ケーブルネットワーク１１には、第１の同軸ケーブルモデム１４−１および第２の同軸ケーブルモデム１４−２が接続されており、第１の同軸ケーブルモデム１４−１には第１の端末装置１６−１が、第２の同軸ケーブルモデム１４−２には第２の端末装置１６−２が、それぞれ接続されている。
【００４８】
また、無線通信ネットワーク１２には、第１の無線通信装置１５−１および第２の無線通信装置１５−２が接続されており、第１の無線通信装置１５−１には第３の端末装置１６−３が、第２の無線通信装置１５−２には、第４の端末装置１６−４が、それぞれ接続されている。なお、第１の無線通信装置１５−１および第２の無線通信装置１５−２は、いずれも、本発明の無線モデム装置の一例である。
【００４９】
図３（ａ）および（ｂ）は、第１の同軸ケーブルモデム１４−１および第２の同軸ケーブルモデム１４−２の構成図である。
【００５０】
図３（ａ）および（ｂ）において、２１−１および２１−２は第１のＰＨＹ部、２２−１および２２−２はＭＡＣ部、２３−１および２３−２はマイコン処理部、２４−１および２４−２は端末インターフェースである。
【００５１】
図４（ａ）および（ｂ）は、第１の無線通信装置１５−１および第２の無線通信装置１５−２の構成図である。
【００５２】
図４（ａ）および（ｂ）において、３１−１および３１−２は第２のＰＨＹ部、３２−１および３２−２はＭＡＣ部、３３−１および３３−２はマイコン処理部、３４−１および３４−２は端末インターフェースである。
【００５３】
以上のように構成された本実施の形態１の同軸／無線ネットワークシステムについて、以下、図１〜図４を用いてその動作を説明する。
【００５４】
まず、第１の同軸ケーブルモデム１４−１に接続された第１の端末装置１６−１と第２の同軸ケーブルモデム１４−２に接続された第２の端末装置１６−２とのデータ通信について説明する。
【００５５】
なお、ここでは、第１の同軸ケーブルモデム１４−１のＭＡＣ部２２−１が、同軸ケーブルネットワーク１１および無線通信ネットワーク１２に接続された全てのモデム装置（図２の場合には、無線通信機能を備えたケーブルモデム装置１３、第１の同軸ケーブルモデム１４−１、第２の同軸ケーブルモデム１４−２、第１の無線通信装置１５−１、第２の無線通信装置１５−２）の送信権を管理している。
【００５６】
第１の端末装置１６−１からの送信データは、第１の同軸ケーブルモデム１４−１に入力される。入力されたデータは、端末インターフェース２４−１にて受信され、マイコン処理部２３−１に入力される。そして、マイコン処理部２３−１は、ＩＰ処理を行い、ＭＡＣ部２２−１にデータを入力する。ＭＡＣ部２２−１は、同軸ケーブルネットワーク１１において他端末装置が送信するデータとの衝突が発生しないように送信タイミングを調整し、データを第１のＰＨＹ部２１−１に出力する。そして、第１のＰＨＹ部２１−１は送信データの変調処理、周波数変換および信号増幅を行い、同軸ケーブルネットワーク１１に信号を送信する。
【００５７】
同軸ケーブルネットワーク１１に送信された信号は、第２の同軸ケーブルモデム１４−２に入力される。そして、第１のＰＨＹ部２１−２が、受信信号の増幅、周波数変換および復調処理を行い、ＭＡＣ部２２−２にデータを出力する。ＭＡＣ部２２−２は、第２の同軸ケーブルモデム１４−２が必要とする管理情報と第２の端末装置１６−２へ送る情報とを種別し、マイコン処理部２３−２にデータを出力する。マイコン処理部２３−２は、管理情報の処理およびＩＰ処理を行い、端末インターフェース２４−２を経由して第２の端末装置１６−２にデータを出力する。
【００５８】
逆に、第２の端末装置１６−２からの送信データは、第２の同軸ケーブルモデム１４−２に入力される。入力されたデータは、端末インターフェース２４−２で受信され、マイコン処理部２３−２に入力される。マイコン処理部２３−２は、ＩＰ処理を行い、ＭＡＣ部２２−２にデータを出力する。そして、ＭＡＣ部２２−２は、第１の同軸ケーブルモデム１４−１からデータの送信権を獲得し、タイミングを合わせてデータを第１のＰＨＹ部２１−２に出力する。ここで、アクセス方式としては、ＴＤＭＡ（Ｔｉｍｅ  Ｄｉｖｉｓｉｏｎ  Ｍｕｌｔｉｐｌｅ  Ａｃｃｅｓｓ）を使用する。そして、第１のＰＨＹ部２１−２は、送信データの変調処理、周波数変換および信号増幅を行い、同軸ケーブルネットワーク１１に信号を送信する。
【００５９】
同軸ケーブルネットワーク１１に送信された信号は、第１の同軸ケーブルモデム１４−１に入力される。そして、第１のＰＨＹ部２１−１が、受信信号の増幅、周波数変換および復調処理を行い、ＭＡＣ部２２−１にデータを出力する。ＭＡＣ部２２−１は、第１の同軸ケーブルモデム１４−１が必要とする管理情報と第１の端末装置１６−１へ送る情報とを種別し、マイコン処理部２３−１にデータを出力する。マイコン処理部２３−１は、管理情報の処理およびＩＰ処理を行い、端末インターフェース２４−１を経由して第１の端末装置１６−１にデータを出力する。
【００６０】
以上のようにして、第１の同軸ケーブルモデム１４−１に接続された第１の端末装置１６−１と、第２の同軸ケーブルモデム１４−２に接続された第２の端末装置１６−２とのデータ通信を行うことができる。
【００６１】
次に、第１の同軸ケーブルモデム１４−１に接続された第１の端末装置１６−１と、第１の無線通信装置１５−１に接続された第３の端末装置１６−３とのデータ通信について説明する。
【００６２】
第１の端末装置１６−１からの送信データは、第１の同軸ケーブルモデム１４−１に入力される。入力されたデータは、端末インターフェース２４−１にて受信され、マイコン処理部２３−１に入力される。そして、マイコン処理部２３−１は、ＩＰ処理を行い、ＭＡＣ部２２−１にデータを入力する。ＭＡＣ部２２−１は、同軸ケーブルネットワーク１１において他端末装置が送信するデータとの衝突が発生しないように送信タイミングを調整し、データを第１のＰＨＹ部２１−１に出力する。そして、第１のＰＨＹ部２１−１は送信データの変調処理、周波数変換および信号増幅を行い、同軸ケーブルネットワーク１１に信号を送信する。
【００６３】
同軸ケーブルネットワーク１１に送信された信号は、無線通信機能を備えたケーブルモデム装置１３に入力される。図１に示すケーブルモデム装置１３の第１のＰＨＹ部１は、受信信号の増幅、周波数変換および復調処理を行い、スイッチ３にデータを出力する。スイッチ３は入力データを通過させて、ＭＡＣ部４にデータを出力する。ＭＡＣ部４は、データを解読し、無線通信機能を備えたケーブルモデム装置１３自体が必要とする管理情報と、端末装置に送る情報とを種別し、マイコン処理部５にデータを出力する。
【００６４】
そして、マイコン処理部５は、管理情報の処理およびＭＡＣ部４の上位プロトコルであるＩＰ処理を行い、ＭＡＣ部４にデータを入力する。ＭＡＣ部４は、再び管理情報と端末装置に送る情報とを統合し、スイッチ３へデータを出力する。スイッチ３は、入力データを通過させて、第２のＰＨＹ部２にデータを出力する。第２のＰＨＹ部２は、その入力データの、変調処理、周波数変換および増幅を行い、無線通信ネットワーク１２へ信号を出力する。
【００６５】
無線通信ネットワーク１２に出力された信号は、第１の無線通信装置１５−１に入力される。そして、第２のＰＨＹ部３１−１が、受信信号の増幅、周波数変換および復調処理を行い、ＭＡＣ部３２−１にデータを出力する。ＭＡＣ部３２−１は、第１の無線通信装置１５−１が必要とする管理情報と第３の端末装置１６−３へ送る情報とを種別し、マイコン処理部３３−１にデータを出力する。マイコン処理部３３−１は、管理情報の処理およびＩＰ処理を行い、端末インターフェース３４−１を経由して第３の端末装置１６−３にデータを出力する。
【００６６】
逆に、第３の端末装置１６−３からの送信データは、第１の無線通信装置１５−１に入力される。入力されたデータは、端末インターフェース３４−１で受信され、マイコン処理部３３−１に入力される。マイコン処理部３３−１は、ＩＰ処理を行い、ＭＡＣ部３２−１にデータを出力する。そして、ＭＡＣ部３２−１は、第１の同軸ケーブルモデム１４−１からデータの送信権を獲得し、タイミングを合わせてデータを第２のＰＨＹ部３１−１に出力する。ここで、アクセス方式としては、ＴＤＭＡを使用する。そして、第２のＰＨＹ部３１−１は、送信データの変調処理、周波数変換および信号増幅を行い、無線通信ネットワーク１２に信号を送信する。
【００６７】
無線通信ネットワーク１２に送信された信号は、無線通信機能を備えたケーブルモデム装置１３に入力される。第２のＰＨＹ部２が、受信信号の増幅、周波数変換および復調処理を行い、スイッチ３にデータを出力する。そして、スイッチ３は、入力データを通過させて、ＭＡＣ部４にデータを出力する。ＭＡＣ部４は、データを解読し、無線通信機能を備えたケーブルモデム装置１３自体が必要とする管理情報と、同軸ケーブルネットワークへ送る情報とを種別し、マイコン処理部５にデータを出力する。
【００６８】
そして、マイコン処理部５は、管理情報の処理およびＭＡＣ部４の上位プロトコルであるＩＰ処理を行い、ＭＡＣ部４にデータを出力する。ＭＡＣ部４は、再び管理情報と同軸ケーブルネットワーク１１へ送る情報を統合し、スイッチ３へデータを出力する。スイッチ３は、入力データを通過させて、第１のＰＨＹ部１にデータを出力する。第１のＰＨＹ部１は、入力データの変調処理、周波数変換および増幅を行い、同軸ケーブルネットワーク１１へ信号を出力する。
【００６９】
同軸ケーブルネットワーク１１に出力された信号は、第１の同軸ケーブルモデム１４−１に入力される。そして、第１のＰＨＹ部２１−１が、受信信号の増幅、周波数変換および復調処理を行い、ＭＡＣ部２２−１にデータを出力する。ＭＡＣ部２２−１は、第１の同軸ケーブルモデム１４−１が必要とする管理情報と第１の端末装置１６−１へ送る情報とを分離し、マイコン処理部２３−１にデータを出力する。マイコン処理部２３−１は、管理情報の処理およびＩＰ処理を行い、端末インターフェース２４−１を経由して第１の端末装置１６−１にデータを出力する。
【００７０】
以上のようにして、第１の同軸ケーブルモデム１４−１に接続された第１の端末装置１６−１と、第１の無線通信装置１５−１に接続された第３の端末装置１６−３とのデータ通信を行うことができる。
【００７１】
最後に、第１の無線通信装置１５−１に接続された第３の端末装置１６−３と、第２の無線通信装置１５−２に接続された第４の端末装置１６−４とのデータ通信について説明する。
【００７２】
第３の端末装置１６−３からの送信データは、第１の無線通信装置１５−１に入力される。入力されたデータは、端末インターフェース３４−１で受信され、マイコン処理部３３−１に入力される。マイコン処理部３３−１は、ＩＰ処理を行い、ＭＡＣ部３２−１にデータを出力する。ＭＡＣ部３２−１は、第１の同軸ケーブルモデム１４−１からデータの送信権を獲得し、タイミングを合わせてデータを第２のＰＨＹ部３１−１に出力する。ここで、第１の同軸ケーブルモデム１４−１と第１の無線通信装置１５−１との通信についての説明は省略する。アクセス方式は、同軸ケーブルネットワーク１１と共通であるＴＤＭＡ方式である。そして、第２のＰＨＹ部３１−１は、送信データの変調処理、周波数変換および信号増幅を行い、無線通信ネットワーク１２に信号を送信する。
【００７３】
無線通信ネットワーク１２に送信された信号は、第２の無線通信装置１５−２に入力される。そして、第２のＰＨＹ部３１−２が、受信信号の増幅、周波数変換および復調処理を行い、ＭＡＣ部３２−２にデータを出力する。ＭＡＣ部３２−２は、第２の無線通信装置１５−２が必要とする管理情報と第４の端末装置１６−４へ送る情報とを種別し、マイコン処理部３３−２にデータを出力する。マイコン処理部３３−２は、管理情報の処理およびＩＰ処理を行い、端末インターフェース３４−２を経由して第４の端末装置１６−４にデータを出力する。
【００７４】
逆に、第４の端末装置１６−４からの送信データは、第２の無線通信装置１５−２に入力される。入力されたデータは、端末インターフェース３４−２で受信され、マイコン処理部３３−２に入力される。マイコン処理部３３−２は、ＩＰ処理を行い、ＭＡＣ部３２−２にデータを出力する。ＭＡＣ部３２−２は、第１の同軸ケーブルモデム１４−１からデータの送信権を獲得し、タイミングを合わせてデータを第２のＰＨＹ部３１−２に出力する。ここで、第１の同軸ケーブルモデム１４−１と第２の無線通信装置１５−２との通信についての説明は、前述と同様であるので省略する。アクセス方式は、同軸ケーブルネットワーク１１と共通であるＴＤＭＡ方式である。そして、第２のＰＨＹ部３１−２は、送信データの変調処理、周波数変換および信号増幅を行い、無線通信ネットワーク１２に信号を送信する。
【００７５】
無線通信ネットワーク１２に送信された信号は、第１の無線通信装置１５−１に入力される。第２のＰＨＹ部３１−１が、受信信号の増幅、周波数変換および復調処理を行い、ＭＡＣ部３２−１にデータを出力する。ＭＡＣ部３２−１は、第１の無線通信装置１５−１が必要とする管理情報と第３の端末装置１６−３へ送る情報とを種別し、マイコン処理部３３−１にデータを出力する。マイコン処理部３３−１は、管理情報の処理およびＩＰ処理を行い、端末インターフェース３４−１を経由して第３の端末装置１６−３にデータを出力する。
【００７６】
以上のようにして、第１の無線通信装置１５−１に接続された第３の端末装置１６−３と、第２の無線通信装置１５−２に接続された第４の端末装置１６−４とのデータ通信を行うことができる。
【００７７】
以上のように、本実施の形態１のケーブルモデム装置１３によれば、同軸ケーブルネットワーク１１に接続された第１のＰＨＹ部１と、無線通信ネットワーク１２用のアンテナに接続された第２のＰＨＹ部２と、第１のＰＨＹ部１と第２のＰＨＹ部２とのどちらか一方のデータを通過させ、ＭＡＣ部４にデータを入出力するスイッチ３と、ＭＡＣ部４とデータを入出力するマイコン処理部５とを備え、同軸ケーブルネットワーク１１と無線通信ネットワーク１２の双方で使用するＭＡＣ部を共通化し、同軸ケーブルネットワーク１１に接続するために使用する第１のＰＨＹ部１および無線通信ネットワーク１２に接続するために使用する第２のＰＨＹ部２と、ＭＡＣ部４とのデータ入出力をスイッチ３経由で切り替えるという構成を設けることにより、同軸ケーブルネットワーク１１と無線通信ネットワーク１２とのＭＡＣ部を一つにして構成を簡単にし、マイコン処理部５の負荷を軽減することができるようになる。
【００７８】
（実施の形態２）
図５は、本発明の実施の形態２における無線通信機能を備えたケーブルモデム装置の構成を示すものである。
【００７９】
図５において、本実施の形態２のケーブルモデム装置１７は、同軸ケーブルネットワークに接続された第１のＰＨＹ部１、および、アンテナに接続された第２のＰＨＹ部２を備えている。そして、第１のＰＨＹ部１および第２のＰＨＹ部２は、スイッチ３に接続されており、スイッチ３は、さらにＭＡＣ部４に接続されている。そして、ＭＡＣ部４は、マイコン処理部５に接続され、マイコン処理部５は、さらに、端末装置と送受信を行う端末インターフェース６に接続されている。なお、端末インターフェース６は、本発明の端末インターフェース部の一例である。
【００８０】
図５に示す本実施の形態２の無線通信機能を備えたケーブルモデム装置１７の構成は、図１に示した実施の形態１と同様なものである。図１と同じ構成部分については、同じ符号を用いている。実施の形態１のケーブルモデム装置１３と異なるのは、端末インターフェース６を備えた点であり、その他に関しては同様であるので、ケーブルモデム装置１７の動作の説明は省略する。
【００８１】
図６は、本実施の形態２の無線通信機能を備えたケーブルモデム装置が接続された同軸／無線ネットワークシステムの一例を示す構成図である。以下、図３〜図６を用いて、本実施の形態２の同軸／無線ネットワークシステムの動作を説明する。
【００８２】
図６において、本実施の形態２の同軸／無線ネットワークシステムでは、第１の無線通信機能を備えたケーブルモデム装置１７−１および第２の無線通信機能を備えたケーブルモデム装置１７−２が、いずれも、同軸ケーブルネットワーク１１および無線通信ネットワーク１２に接続されている。また、第１の無線通信機能を備えたケーブルモデム装置１７−１には第５の端末装置１６−５が、第２の無線通信機能を備えたケーブルモデム装置１７−２には、第６の端末装置１６−６が、それぞれ接続されている。
【００８３】
第１の無線通信機能を備えたケーブルモデム装置１７−１および第２の無線通信機能を備えたケーブルモデム装置１７−２は、いずれも、図５で説明したケーブルモデム装置１７と同じ構成のケーブルモデム装置である。
【００８４】
また、同軸ケーブルネットワーク１１には、第１の同軸ケーブルモデム１４−１も接続されており、第１の同軸ケーブルモデム１４−１には第１の端末装置１６−１が接続されている。
【００８５】
また、無線通信ネットワーク１２には、第１の無線通信装置１５−１も接続されており、第１の無線通信装置１５−１には第３の端末装置１６−３が接続されている。
【００８６】
まず、第１の同軸ケーブルモデム１４−１に接続された第１の端末装置１６−１と第１の無線通信機能を備えたケーブルモデム装置１７−１に接続された第５の端末装置１６−５とのデータ通信について説明する。
【００８７】
なお、実施の形態１と同様に、ここでは、第１の同軸ケーブルモデム１４−１のＭＡＣ部２２−１が、同軸ケーブルネットワーク１１および無線通信ネットワーク１２に接続された全てのモデム装置の送信権を管理している。
【００８８】
第１の端末装置１６−１からの送信データは、第１の同軸ケーブルモデム１４−１に入力される。入力されたデータは、図３（ａ）に示す端末インターフェース２４−１にて受信され、マイコン処理部２３−１に入力される。そして、マイコン処理部２３−１は、ＩＰ処理を行い、ＭＡＣ部２２−１にデータを入力する。ＭＡＣ部２２−１は、同軸ケーブルネットワーク１１において他端末装置が送信するデータとの衝突が発生しないように送信タイミングを調整し、データを第１のＰＨＹ部２１−１に出力する。そして、第１のＰＨＹ部２１−１は、送信データの変調処理、周波数変換および信号増幅を行い、同軸ケーブルネットワーク１１に信号を送信する。
【００８９】
同軸ケーブルネットワーク１１に送信された信号は、第１の無線通信機能を備えたケーブルモデム装置１７−１に入力される。そして、第１の無線通信機能を備えたケーブルモデム装置１７−１の、図５に示す第１のＰＨＹ部１は、受信信号の増幅、周波数変換および復調処理を行い、スイッチ３にデータを出力する。スイッチ３は、その第１のＰＨＹ部１からの入力データを通過させて、ＭＡＣ部４にデータを出力する。ＭＡＣ部４は、データを解読し、第１の無線通信機能を備えたケーブルモデム装置１７−１自体が必要とする管理情報と、第５の端末装置１６−５に送る情報とを種別し、マイコン処理部５にデータを出力する。マイコン処理部５は、管理情報の処理およびＭＡＣ部４の上位プロトコルであるＩＰ処理を行い、端末インターフェース６を経由して第５の端末装置１６−５にデータを出力する。
【００９０】
逆に、第５の端末装置１６−５からの送信データは、第１の無線通信機能を備えたケーブルモデム装置１７−１に入力される。その入力されたデータは、端末インターフェース６で受信されマイコン処理部５に入力される。マイコン処理部５は、ＩＰ処理を行い、ＭＡＣ部４にデータを出力する。ＭＡＣ部４は、データを解読し、第１の無線通信機能を備えたケーブルモデム装置１７−１自体が必要とする管理情報と、同軸ケーブルネットワークへ送る情報とを統合し、第１の同軸ケーブルモデム１４−１からデータの送信権を獲得し、タイミングを合わせてデータをスイッチ３に出力する。アクセス方式としては、ＴＤＭＡを使用する。スイッチ３は、入力データを通過させて、第１のＰＨＹ部１にデータを出力する。第１のＰＨＹ部１は、入力データの変調処理、周波数変換および増幅を行い、同軸ケーブルネットワーク１１へ信号を出力する。
【００９１】
同軸ケーブルネットワーク１１に出力された信号は、第１の同軸ケーブルモデム１４−１に入力される。図３（ａ）に示す第１のＰＨＹ部２１−１は、受信信号の増幅、周波数変換および復調処理を行い、ＭＡＣ部２２−１にデータを出力する。ＭＡＣ部２２−１は、第１の同軸ケーブルモデム１４−１が必要とする管理情報と第１の端末装置１６−１へ送る情報とを種別し、マイコン処理部２３−１にデータを出力する。マイコン処理部２３−１は、管理情報の処理およびＩＰ処理を行い、端末インターフェース２４−１を経由して第１の端末装置１６−１にデータを出力する。
【００９２】
以上のようにして、第１の同軸ケーブルモデム１４−１に接続された第１の端末装置１６−１と、第１の無線通信機能を備えたケーブルモデム装置１７−１に接続された第５の端末装置１６−５とのデータ通信を行うことができる。
【００９３】
次に、第１の無線通信機能を備えたケーブルモデム装置１７−１に接続された第５の端末装置１６−５と第１の無線通信装置１５−１に接続された第３の端末装置１６−３とのデータ通信について説明する。
【００９４】
第５の端末装置１６−５からの送信データは、第１の無線通信機能を備えたケーブルモデム装置１７−１に入力される。その入力されたデータは、図５に示す端末インターフェース６で受信され、マイコン処理部５に入力される。そして、マイコン処理部５は、ＩＰ処理を行い、ＭＡＣ部４にデータを出力する。ＭＡＣ部４は、データを解読し、第１の無線通信機能を備えたケーブルモデム装置１７−１自体が必要とする管理情報と、無線通信ネットワークへ送る情報とを統合し、第１の同軸ケーブルモデム１４−１からデータの送信権を獲得し、タイミングを合わせてデータをスイッチ３に出力する。アクセス方式としては、ＴＤＭＡを使用する。ここで、第１の同軸ケーブルモデム１４−１と第１の無線通信機能を備えたケーブルモデム装置１７−１との通信についての説明は、前述と同様であるので省略する。そして、スイッチ３は、入力データを通過させて、第２のＰＨＹ部２にデータを出力する。第２のＰＨＹ部２は、入力データの変調処理、周波数変換および増幅を行い、無線通信ネットワーク１２へ信号を出力する。
【００９５】
無線通信ネットワーク１２に出力された信号は、第１の無線通信装置１５−１に入力される。図４（ａ）に示す第２のＰＨＹ部３１−１は、受信信号の増幅、周波数変換および復調処理を行い、ＭＡＣ部３２−１にデータを出力する。ＭＡＣ部３２−１は、第１の無線通信装置１５−１が必要とする管理情報と第３の端末装置１６−３へ送る情報とを種別し、マイコン処理部３３−１にデータを出力する。マイコン処理部３３−１は、ＩＰ処理を行い、端末インターフェース３４−１を経由して第３の端末装置１６−３にデータを出力する。
【００９６】
逆に、第３の端末装置１６−３からの送信データは、第１の無線通信装置１５−１に入力される。入力されたデータは、端末インターフェース３４−１で受信され、マイコン処理部３３−１に入力される。マイコン処理部３３−１は、ＩＰ処理を行い、ＭＡＣ部３２−１にデータを出力する。ＭＡＣ部３２−１は、第１の同軸ケーブルモデム１４−１からデータの送信権を獲得し、タイミングを合わせてデータを第２のＰＨＹ部３１−１に出力する。アクセス方式としては、ＴＤＭＡを使用する。第２のＰＨＹ部３１−１は、送信データの変調処理、周波数変換および信号増幅を行い、無線通信ネットワーク１２に信号を送信する。
【００９７】
無線通信ネットワーク１２に送信された信号は、第１の無線通信機能を備えたケーブルモデム装置１７−１に入力される。第２のＰＨＹ部２は、受信信号の増幅、周波数変換および復調処理を行い、スイッチ３にデータを出力する。スイッチ３は、その第２のＰＨＹ部２からの入力データを通過させて、ＭＡＣ部４にデータを出力する。ＭＡＣ部４は、データを解読し、第１の無線通信機能を備えたケーブルモデム装置１７−１自体が必要とする管理情報と、端末装置１６−５へ送る情報とを種別し、マイコン処理部５にデータを出力する。マイコン処理部５は、管理情報の処理およびＭＡＣ部４の上位プロトコルであるＩＰ処理を行い、端末インターフェース６を経由して第５の端末装置１６−５にデータを出力する。
【００９８】
以上のようにして、第１の無線通信機能を備えたケーブルモデム装置１７−１に接続された第５の端末装置１６−５と第１の無線通信装置１５−１に接続された第３の端末装置１６−３とのデータ通信を行うことができる。
【００９９】
最後に、第１の無線通信機能を備えたケーブルモデム装置１７−１に接続された第５の端末装置１６−５と第２の無線通信機能を備えたケーブルモデム装置１７−２に接続された第６の端末装置１６−６とのデータ通信について説明する。
【０１００】
第５の端末装置１６−５からの送信データは、第１の無線通信機能を備えたケーブルモデム装置１７−１に入力される。入力されたデータは、図５に示す端末インターフェース６で受信され、マイコン処理部５に入力される。そして、マイコン処理部５は、ＩＰ処理を行い、ＭＡＣ部４にデータを出力する。ＭＡＣ部４は、データを解読し、第１の無線通信機能を備えたケーブルモデム装置１７−１自体が必要とする管理情報と、同軸ケーブルネットワークおよび無線通信ネットワークへ送る情報とを統合し、第１の同軸ケーブルモデム１４−１からデータの送信権を獲得し、タイミングを合わせてデータをスイッチ３に出力する。アクセス方式としては、ＴＤＭＡを使用する。ここで、第１の同軸ケーブルモデム１４−１と第１の無線通信機能を備えたケーブルモデム装置１７−１との通信についての説明は、前述と同様であるので省略する。
【０１０１】
そして、スイッチ３は、入力データを通過させて、第１のＰＨＹ部１および第２のＰＨＹ部２の双方、或いはどちらか一方にデータを出力する。第１のＰＨＹ部１および第２のＰＨＹ部２は、入力データの変調処理、周波数変換および増幅を行い、同軸ケーブルネットワーク１１および無線通信ネットワーク１２の双方、或いはどちらか一方に信号を出力する。ここで、同軸ケーブルネットワークおよび無線通信ネットワークの双方にデータを送信した場合は、同じデータが両方のネットワークに送出されることになる。
【０１０２】
同軸ケーブルネットワーク１１および無線通信ネットワーク１２の双方、或いはどちらか一方に出力された信号は、第２の無線通信機能を備えたケーブルモデム装置１７−２に入力される。第２の無線通信機能を備えたケーブルモデム装置１７−２の第１のＰＨＹ部１および第２のＰＨＹ部２の双方、或いはどちらか一方は、受信信号の増幅、周波数変換および復調処理を行い、スイッチ３にデータを出力する。スイッチ３は、どちらか一方の入力データを通過させて、ＭＡＣ部４にデータを出力する。ここで、スイッチ３に第１のＰＨＹ部１および第２のＰＨＹ部２の双方からデータが入力された場合、誤りのないデータおよび誤りの少ないデータを選択して通過させるものとする。ＭＡＣ部４は、データを解読し、第２の無線通信機能を備えたケーブルモデム装置１７−２自体が必要とする管理情報と、端末装置１６−６へ送る情報とを種別し、マイコン処理部５にデータを出力する。マイコン処理部５は、管理情報の処理およびＭＡＣ部４の上位プロトコルであるＩＰ処理を行い、端末インターフェース６を経由して第６の端末装置１６−６にデータを出力する。
【０１０３】
逆に、第６の端末装置１６−６からの送信データは、第２の無線通信機能を備えたケーブルモデム装置１７−２に入力される。その入力されたデータは、図５に示す端末インターフェース６で受信され、マイコン処理部５に入力される。そして、マイコン処理部５は、ＩＰ処理を行い、ＭＡＣ部４にデータを出力する。ＭＡＣ部４は、データを解読し、第２の無線通信機能を備えたケーブルモデム装置１７−２自体が必要とする管理情報と、同軸ケーブルネットワークおよび無線通信ネットワークへ送る情報とを統合し、第１の同軸ケーブルモデム１４−１からデータの送信権を獲得し、タイミングを合わせてデータをスイッチ３に出力する。アクセス方式としては、ＴＤＭＡを使用する。そして、スイッチ３は入力データを通過させて、第１のＰＨＹ部１および第２のＰＨＹ部２の双方、或いはどちらか一方にデータを出力する。第１のＰＨＹ部１および第２のＰＨＹ部２の双方、或いはどちらか一方は、入力データの変調処理及び周波数変換、増幅を行い、同軸ケーブルネットワーク１１および無線通信ネットワーク１２の双方、どちらか一方へ信号を出力する。ここで、同軸ケーブルネットワークおよび無線通信ネットワークの双方にデータを送信した場合は、同じデータが両方のネットワークに送出されることになる。
【０１０４】
同軸ケーブルネットワーク１１および無線通信ネットワーク１２の双方、或いはどちらか一方に出力された信号は、第１の無線通信機能を備えたケーブルモデム装置１７−１に入力される。第１の無線通信機能を備えたケーブルモデム装置１７−１の第１のＰＨＹ部１および第２のＰＨＹ部２の双方、或いはどちらか一方は、受信信号の増幅、周波数変換および復調処理を行い、スイッチ３にデータを出力する。スイッチ３は、どちらか一方の入力データを通過させて、ＭＡＣ部４にデータを出力する。ここで、スイッチ３に第１のＰＨＹ部１および第２のＰＨＹ部２の双方からデータが入力された場合、誤りのないデータおよび誤りの少ないデータを選択して通過させるものとする。ＭＡＣ部４は、データを解読し、第１の無線通信機能を備えたケーブルモデム装置１７−１自体が必要とする管理情報と、端末装置１６−５へ送る情報とを種別し、マイコン処理部５にデータを出力する。マイコン処理部５は、ＭＡＣ部４の上位プロトコルであるＩＰ処理を行い、端末インターフェース６を経由して第５の端末装置１６−５にデータを出力する。
【０１０５】
以上のようにして、第１の無線通信機能を備えたケーブルモデム装置１７−１に接続された第５の端末装置１６−５と第２の無線通信機能を備えたケーブルモデム装置１７−２に接続された第６の端末装置１６−６とのデータ通信を行うことができる。
【０１０６】
以上のように、本実施の形態２の第１の無線通信機能を備えたケーブルモデム装置１７−１および第２の無線通信機能を備えたケーブルモデム装置１７−２によれば、同軸ケーブルネットワーク１１に接続された第１のＰＨＹ部１と、無線通信ネットワーク１２用のアンテナに接続された第２のＰＨＹ部２と、第１のＰＨＹ部１と第２のＰＨＹ部２とのどちらか一方のデータを通過させ、ＭＡＣ部４にデータを入出力するスイッチ３と、ＭＡＣ部４とデータを入出力するマイコン処理部５と、マイコン処理部５とデータを入出力する端末インターフェース６とを備え、同軸ケーブルネットワーク１１と無線通信ネットワーク１２の双方で使用するＭＡＣ部を共通化し、同軸ケーブルネットワーク１１に接続するために使用する第１のＰＨＹ部１および無線通信ネットワーク１２に接続するために使用する第２のＰＨＹ部２と、ＭＡＣ部４とのデータ入出力をスイッチ３経由で切り替えるという構成を設けることにより、同軸ケーブルネットワーク１１と無線通信ネットワーク１２とのＭＡＣ部を一つにして構成を簡単にし、マイコン処理部５の負荷を軽減することができるようになる。
【０１０７】
（実施の形態３）
図７は、本発明の実施の形態３における無線通信機能を備えたケーブルモデム装置の構成を示すものである。
【０１０８】
図７において、本実施の形態３のケーブルモデム装置は、同軸ケーブルネットワーク、および無線通信ネットワークに接続されるアンテナの双方に接続されるスイッチ７を備えている。そして、スイッチ７は、第１のＰＨＹ部１および第２のＰＨＹ部２に接続されている。そして、第１のＰＨＹ部１および第２のＰＨＹ部２はＭＡＣ部４に接続され、ＭＡＣ部４は、さらにマイコン処理部５に接続されている。なお、スイッチ７は、本発明のスイッチ部の一例である。
【０１０９】
本実施の形態３の無線通信機能を備えたケーブルモデム装置の構成は、図１に示した実施の形態１と同様なものである。図１と同じ構成部分については、同じ符号を用いている。実施の形態１のケーブルモデム装置１３と異なるのは、実施の形態１のスイッチ３の代わりに、第１のＰＨＹ部１の同軸ケーブルネットワーク側と第２のＰＨＹ部２の無線通信ネットワーク側にスイッチ７を備えた点である。
【０１１０】
以上のように構成された本実施の形態３の無線通信機能を備えたケーブルモデム装置について、以下、図７を用いてその動作を説明する。
【０１１１】
まず、同軸ネットワーク側から信号を受信した場合について説明する。
【０１１２】
同軸ケーブルネットワークに接続されたスイッチ７は、受信信号（Ｒｘ１ｃ）を通過させて、第１のＰＨＹ部１に信号（Ｒｘ２ｃ）を出力する。第１のＰＨＹ部１は、受信信号（Ｒｘ２ｃ）の増幅、周波数変換および復調処理を行い、ＭＡＣ部４にデータ（Ｒｘ３ｃ）を出力する。ＭＡＣ部４は、そのデータ（Ｒｘ３ｃ）を解読し、本実施の形態３の無線通信機能を備えたケーブルモデム装置自体が必要とする管理情報と、無線通信ネットワーク側へ送る情報とを種別し、マイコン処理部５にデータ（Ｒｘ４ｃ）を出力する。
【０１１３】
マイコン処理部５は、管理情報の処理およびＭＡＣ部４の上位プロトコルであるＩＰ処理を行い、ＭＡＣ部４にデータ（Ｔｘ４ｗ）を折り返す。ＭＡＣ部４は、再び管理情報と無線通信ネットワーク側へ送る情報を統合し、第２のＰＨＹ部２にデータ（Ｔｘ３ｗ）を出力する。第２のＰＨＹ部２は、入力データ（Ｔｘ３ｗ）の変調処理、周波数変換および増幅を行い、スイッチ７に信号（Ｔｘ２ｗ）を出力する。そして、スイッチ７は、無線通信ネットワーク用のアンテナへ信号（Ｔｘ１ｗ）を出力する。
【０１１４】
なお、ここで、Ｒｘ１ｃとＲｘ２ｃは同じデータである。また、Ｔｘ１ｗとＴｘ２ｗも同じデータである。また、Ｒｘ１ｃおよびＴｘ１ｗは、図１１（ａ）に示す構成であり、Ｒｘ３ｃおよびＴｘ３ｗは、図１１（ｂ）に示す構成であり、Ｒｘ４ｃおよびＴｘ４ｗは、図１１（ｃ）に示す構成である。
【０１１５】
次に、無縁通信ネットワーク用のアンテナから信号を受信した場合について説明する。
【０１１６】
アンテナに接続されたスイッチ７は、受信信号（Ｒｘ１ｗ）を通過させて、第２のＰＨＹ部２に信号（Ｒｘ２ｗ）を出力する。第２のＰＨＹ部２は、受信信号（Ｒｘ２ｗ）の増幅、周波数変換および復調処理を行い、ＭＡＣ部４にデータ（Ｒｘ３ｗ）を出力する。ＭＡＣ部４は、そのデータ（Ｒｘ３ｗ）を解読し、本実施の形態３の無線通信機能を備えたケーブルモデム装置自体が必要とする管理情報と、同軸ケーブルネットワーク側へ送る情報とを種別し、マイコン処理部５にデータ（Ｒｘ４ｗ）を出力する。
【０１１７】
マイコン処理部５は、管理情報の処理およびＭＡＣ部４の上位プロトコルであるＩＰ処理を行い、ＭＡＣ部４にデータ（Ｔｘ４ｃ）を折り返す。ＭＡＣ部４は、再び管理情報と同軸ケーブルネットワーク側へ送る情報を統合し、第１のＰＨＹ部１にデータ（Ｔｘ３ｃ）を出力する。第１のＰＨＹ部１は、入力データ（Ｔｘ３ｃ）の変調処理、周波数変換および増幅を行い、スイッチ７に信号（Ｔｘ２ｃ）を出力する。そして、スイッチ７は、同軸ケーブルネットワークへ信号（Ｔｘ１ｃ）を出力する。
【０１１８】
なお、ここで、Ｒｘ１ｗとＲｘ２ｗは同じデータである。また、Ｔｘ１ｃとＴｘ２ｃも同じデータである。また、Ｒｘ１ｗおよびＴｘ１ｃは、図１１（ａ）に示す構成であり、Ｒｘ３ｗおよびＴｘ３ｃは、図１１（ｂ）に示す構成であり、Ｒｘ４ｗおよびＴｘ４ｃは、図１１（ｃ）に示す構成である。
【０１１９】
以上のように、本実施の形態３の無線通信機能を備えたケーブルモデム装置によれば、同軸ケーブルネットワークと無線通信ネットワークに接続されたスイッチ７と、スイッチ７に接続された第１のＰＨＹ部１および第２のＰＨＹ部２と、第１のＰＨＹ部１と第２のＰＨＹ部２に接続されたＭＡＣ部４と、ＭＡＣ部４とデータを入出力するマイコン処理部５とを備え、同軸ケーブルネッワークと無線通信ネットワークの双方で使用するＭＡＣ部を共通化し、同軸ケーブルネットワークに接続するために使用する第１のＰＨＹ部１および無線通信ネットワークに接続するために使用する第２のＰＨＹ部２とのデータ入出力をスイッチ７経由で切り替えるという構成を設けることにより、同軸ケーブルネットワークと無線通信ネットワークとのＭＡＣ部を一つにして構成を簡単にし、マイコン処理部５の負荷を軽減することができるようになる。
【０１２０】
（実施の形態４）
図８は、本発明の実施の形態４における無線通信機能を備えたケーブルモデム装置の構成を示すものである。
【０１２１】
図８において、本実施の形態４のケーブルモデム装置は、同軸ケーブルネットワーク、および無線通信ネットワークに接続されるアンテナの双方に接続されるスイッチ７を備えている。そして、スイッチ７は、第１のＰＨＹ部１および第２のＰＨＹ部２に接続されている。そして、第１のＰＨＹ部１および第２のＰＨＹ部２は、ＭＡＣ部４に接続されている。ＭＡＣ部４はマイコン処理部５に接続され、マイコン処理部５は、さらに端末インターフェース８に接続されている。
【０１２２】
本実施の形態４の無線通信機能を備えたケーブルモデム装置の構成は、図７に示した実施の形態３と同様なものである。図７と同じ構成部分については、同じ符号を用いている。実施の形態３の無線通信機能を備えたケーブルモデム装置と異なるのは、端末インターフェース８を備えた点であり、その他に関しては同様であるので、ケーブルモデム装置の動作の説明は省略する。
【０１２３】
以上のように構成された、本実施の形態４の無線通信機能を備えたケーブルモデム装置について、以下、図８を用いてその動作を説明する。
【０１２４】
まず、同軸ネットワーク側から信号を受信した場合について説明する。
【０１２５】
同軸ケーブルネットワークに接続されたスイッチ７は、受信信号（Ｒｘ１ｃ）を通過させて、第１のＰＨＹ部１に信号（Ｒｘ２ｃ）を出力する。第１のＰＨＹ部１は、その受信信号（Ｒｘ２ｃ）の増幅、周波数変換および復調処理を行い、ＭＡＣ部４にデータ（Ｒｘ３ｃ）を出力する。ＭＡＣ部４は、そのデータ（Ｒｘ３ｃ）を解読し、本実施の形態４の無線通信機能を備えたケーブルモデム装置自体が必要とする管理情報と、端末インターフェース８側へ送る情報とを種別し、マイコン処理部５にデータ（Ｒｘ４ｃ）を出力する。マイコン処理部５は、管理情報の処理およびＭＡＣ部４の上位プロトコルであるＩＰ処理を行い、端末インターフェース８に信号（Ｒｘ５ｃ）を出力する。
【０１２６】
端末インターフェース８から入力された信号（Ｔｘ５ｗ）は、マイコン処理部５に入力される。マイコン処理部５は、ＩＰ処理を行い、ＭＡＣ部４にデータ（Ｔｘ４ｗ）を出力する。ＭＡＣ部４は、再び管理情報と無線通信ネットワーク側へ送る情報を統合し、第２のＰＨＹ部２にデータ（Ｔｘ３ｗ）を出力する。第２のＰＨＹ部２は、入力データ（Ｔｘ３ｗ）の変調処理、周波数変換および増幅を行い、スイッチ７に信号（Ｔｘ２ｗ）を出力する。そして、スイッチ７は、無線通信ネットワーク用のアンテナへ信号（Ｔｘ１ｗ）を出力する。
【０１２７】
次に、無縁通信ネットワーク用のアンテナから信号を受信した場合について説明する。
【０１２８】
アンテナに接続されたスイッチ７は、受信信号（Ｒｘ１ｗ）を通過させて、第２のＰＨＹ部２に信号（Ｒｘ２ｗ）を出力する。第２のＰＨＹ部２は、その受信信号（Ｒｘ２ｗ）の増幅、周波数変換および復調処理を行い、ＭＡＣ部４にデータ（Ｒｘ３ｗ）を出力する。ＭＡＣ部４は、そのデータ（Ｒｘ３ｗ）を解読し、本実施の形態４の無線通信機能を備えたケーブルモデム装置自体が必要とする管理情報と、端末インターフェース８へ送る情報とを種別し、マイコン処理部５にデータ（Ｒｘ４ｗ）を出力する。マイコン処理部５は、管理情報の処理およびＭＡＣ部４の上位プロトコルであるＩＰ処理を行い、端末インターフェース８に信号（Ｒｘ５ｗ）を出力する。
【０１２９】
端末インターフェース８から入力された信号（Ｔｘ５ｃ）は、マイコン処理部５に入力される。マイコン処理部５は、ＩＰ処理を行い、ＭＡＣ部４にデータ（Ｔｘ４ｃ）を出力する。ＭＡＣ部４は、再び管理情報と同軸ケーブルネットワークへ送る情報を統合し、第１のＰＨＹ部１にデータ（Ｔｘ３ｃ）を出力する。第１のＰＨＹ部１は、入力データ（Ｔｘ３ｃ）の変調処理、周波数変換および増幅を行い、スイッチ７に信号（Ｔｘ２ｃ）を出力する。そして、スイッチ７は、同軸ケーブルへ信号（Ｔｘ１ｃ）を出力する。
【０１３０】
以上のように、本実施の形態４の無線通信機能を備えたケーブルモデム装置によれば、同軸ケーブルネットワークと無線通信ネットワークに接続されたスイッチ７と、スイッチ７に接続された第１のＰＨＹ部１および第２のＰＨＹ部２と、第１のＰＨＹ部１と第２のＰＨＹ部２に接続されたＭＡＣ部４と、ＭＡＣ部４とデータを入出力するマイコン処理部５と、端末インターフェース６とを備え、同軸ケーブルネッワークと無線通信ネットワークの双方で使用するＭＡＣ部を共通化し、同軸ケーブルネットワークに接続するために使用する第１のＰＨＹ部１および無線通信ネットワークに接続するために使用する第２のＰＨＹ部２とのデータ入出力をスイッチ７経由で切り替えるという構成を設けることにより、同軸ケーブルネットワークと無線通信ネットワークとのＭＡＣ部を一つにして構成を簡単にし、マイコン処理部５の負荷を軽減することができるようになる。
【０１３１】
なお、実施の形態１と実施の形態２において、第２の同軸ケーブルモデム１４−２、第１の無線通信装置１５−１、第２の無線通信装置１５−２、無線通信機能を備えたケーブルモデム装置１３、第１の無線通信機能を備えたケーブルモデム装置１７−１、第２の無線通信機能を備えたケーブルモデム装置１７−２は、第１の同軸ケーブルモデム１４−１からデータの送信権を獲得し、タイミングを合わせてデータを同軸／無線ネットワークに出力するとしたが、タイミングマスタは第１の同軸ケーブルモデム１４−１以外の同軸／無線ネットワークに接続されている他の、同軸ケーブルモデム、無線通信装置、無線通信機能を備えたケーブルモデム装置であってもよい。
【０１３２】
また、実施の形態１と実施の形態２において、第１の同軸ケーブルモデム１４−１と第１の端末装置１６−１、第２の同軸ケーブルモデム１４−２と第２の端末装置１６−２、第１の無線通信装置１５−１と第３の端末装置１６−３、第２の無線通信装置１５−２と第４の端末装置１６−４、第１の無線通信機能を備えたケーブルモデム装置１７−１と第５の端末装置１６−５、第２の無線通信機能を備えたケーブルモデム装置１７−２と第６の端末装置１６−６は、それぞれ分離した構成でなく一体型の構成であってもよい。
【０１３３】
以上に説明したように、従来の無線通信機能を備えたケーブルモデム装置では、同軸ケーブルネッワーク用と無線通信ネットワーク用のそれぞれにＭＡＣ部を備えていたのに対し、各実施の形態のケーブルモデム装置を使用することにより、これらの複数のＭＡＣ部を一つのＭＡＣ部の構成にできるので、装置構成が複雑にならず、コストを抑えることができる。
【０１３４】
なお、本発明のプログラムは、上述した本発明のケーブルモデム装置の送受信方法の、同軸ケーブルネットワークとの間で信号を送受信する際には、第１のＰＨＹ部をＭＡＣ部に接続するステップ、および、無線通信ネットワークとの間で信号を送受信する際には、第２のＰＹＨ部をＭＡＣ部に接続するステップの動作をコンピュータにより実行させるためのプログラムであって、コンピュータと協働して動作するプログラムである。
【０１３５】
また、本発明の記録媒体は、上述した本発明のケーブルモデム装置の送受信方法の、同軸ケーブルネットワークとの間で信号を送受信する際には、第１のＰＨＹ部をＭＡＣ部に接続するステップ、および、無線通信ネットワークとの間で信号を送受信する際には、第２のＰＹＨ部をＭＡＣ部に接続するステップの動作をコンピュータにより実行させるためのプログラムを担持した記録媒体であり、コンピュータにより読み取り可能かつ、読み取られた前記プログラムが前記コンピュータと協働して利用される記録媒体である。
【０１３６】
また、本発明のプログラムは、上述した本発明のケーブルモデム装置の送受信方法の、同軸ケーブルネットワークとの間で信号を送受信する際には、同軸ケーブルネットワークを第１のＰＨＹ部に接続するステップ、および、無線通信ネットワークとの間で信号を送受信する際には、無線通信ネットワークに接続されたアンテナを第２のＰＹＨ部に接続するステップの動作をコンピュータにより実行させるためのプログラムであって、コンピュータと協働して動作するプログラムである。
【０１３７】
また、本発明の記録媒体は、上述した本発明のケーブルモデム装置の送受信方法の、同軸ケーブルネットワークとの間で信号を送受信する際には、同軸ケーブルネットワークを第１のＰＨＹ部に接続するステップ、および、無線通信ネットワークとの間で信号を送受信する際には、無線通信ネットワークに接続されたアンテナを第２のＰＹＨ部に接続するステップの動作をコンピュータにより実行させるためのプログラムを担持した記録媒体であり、コンピュータにより読み取り可能かつ、読み取られた前記プログラムが前記コンピュータと協働して利用される記録媒体である。
【０１３８】
また、本発明のプログラムの一利用形態は、コンピュータにより読み取り可能な記録媒体に記録され、コンピュータと協働して動作する態様であっても良い。
【０１３９】
また、記録媒体としては、ＲＯＭ等が含まれる。
【０１４０】
また、上述した本発明のコンピュータは、ＣＰＵ等の純然たるハードウェアに限らず、ファームウェアや、ＯＳ、更に周辺機器を含むものであっても良い。
【０１４１】
なお、以上説明した様に、本発明の構成は、ソフトウェア的に実現しても良いし、ハードウェア的に実現しても良い。
【産業上の利用可能性】
【０１４２】
本発明にかかる、ケーブルモデム装置、ケーブルモデム装置の送受信方法、および同軸／無線通信ネットワークシステムは、構成が簡単で安価に実現できるという効果を有し、同軸ケーブルネットワークと無線通信ネットワークとが混在した双方向通信ネットワークにおいて利用できる。
【図面の簡単な説明】
【０１４３】
【図１】本発明の実施の形態１における無線通信機能を備えたケーブルモデム装置の構成図
【図２】本発明の実施の形態１における同軸／無線ネットワークシステムの構成図
【図３】（ａ）、（ｂ）本発明の実施の形態１における同軸ケーブルモデムの構成図
【図４】（ａ）、（ｂ）本発明の実施の形態１における無線通信装置の構成図
【図５】本発明の実施の形態２における無線通信機能を備えたケーブルモデム装置の構成図
【図６】本発明の実施の形態２における同軸／無線ネットワークシステムの構成図
【図７】本発明の実施の形態３における無線通信機能を備えたケーブルモデム装置の構成図
【図８】本発明の実施の形態４における無線通信機能を備えたケーブルモデム装置の構成図
【図９】従来の無線通信機能を備えたケーブルモデム装置の構成図
【図１０】従来の無線通信機能を備えたケーブルモデム装置のプロトコルスタック図
【図１１】（ａ）、（ｂ）、（ｃ）ケーブルモデム装置の各機能ブロック間における通信データの構成図
【符号の説明】
【０１４４】
１  第１のＰＨＹ部
２  第２のＰＨＹ部
３  スイッチ
４  ＭＡＣ部
５  マイコン処理部
６  端末インターフェース
７  スイッチ
８  端末インターフェース
１１  同軸ケーブルネットワーク
１２  無線通信ネットワーク
１３  無線通信機能を備えたケーブルモデム装置
１４−１  第１の同軸ケーブルモデム
１４−２  第２の同軸ケーブルモデム
１５−１  第１の無線通信装置
１５−２  第２の無線通信装置
１６−１  第１の端末装置
１６−２  第２の端末装置
１６−３  第３の端末装置
１６−４  第４の端末装置
１６−５  第５の端末装置
１６−６  第６の端末装置
１７−１  第１の無線通信機能を備えたケーブルモデム装置
１７−２  第２の無線通信機能を備えたケーブルモデム装置
２１−１  第１のＰＨＹ部
２１−２  第１のＰＨＹ部
２２−１  ＭＡＣ部
２２−２  ＭＡＣ部
２３−１  マイコン処理部
２３−２  マイコン処理部
２４−１  端末インターフェース
２４−２  端末インターフェース
３１−１  第２のＰＨＹ部
３１−２  第２のＰＨＹ部
３２−１  ＭＡＣ部
３２−２  ＭＡＣ部
３３−１  マイコン処理部
３３−２  マイコン処理部
３４−１  端末インターフェース
３４−２  端末インターフェース
４１  第１のＰＨＹ部
４２  第１のＭＡＣ部
４３  第２のＰＨＹ部
４４  第２のＭＡＣ部
４５  マイコン処理部
【図１】
2006109256.tif 000003
【図２】
2006109256.tif 000004
【図３】
2006109256.tif 000005
【図４】
2006109256.tif 000006
【図５】
2006109256.tif 000007
【図６】
2006109256.tif 000008
【図７】
2006109256.tif 000009
【図８】
2006109256.tif 000010
【図９】
2006109256.tif 000011
【図１０】
2006109256.tif 000012
【図１１】
2006109256.tif 000013